(57)【要約】【課題】 共振現象を利用することにより小さな力でも駆動可能である粉体、粒状体、液体等の進行波ポンプ、進行波搬送装置および前記進行波ポンプ、進行波搬送装置における進行波発生方法を提供するものであり、搬送の対象となる物体が液体の場合は、推進装置としても利用できる装置を提供する。【解決手段】曲げ振動の固有振動モードが正弦波状となるような境界条件で支持された２枚の弾性平板を対向させて、２枚の弾性平板の間には隙間を設け、その対向面の一端に吸込口を他端に吐出口を備え、吸込口と吐出口を除く２枚の弾性平板の端面を密閉し、両弾性平板の外側に弾性平板を振動させる振動子を配し、振動子の加振装置を備え、加振装置には加振力の振幅調整器と位相調整器とを設ける。【選択図】図２
2010196660.tif 000002
【特許請求の範囲】
【請求項１】
２枚の弾性平板の間には隙間を設け、その対向面の一端に吸込口を他端に吐出口を備え、吸込口と吐出口を除く２枚の弾性平板の端面を密閉し、両弾性平板の外側に弾性平板を振動させる振動子を配し、該振動子の加振装置を備えた進行波ポンプにおいて、曲げ振動の固有振動モードが正弦波状となる境界条件で支持された２枚の弾性平板を対向させ共振駆動型としたことを特徴とする進行波ポンプ、進行波搬送装置
【請求項２】
単一の固有振動モードが支配的となる共振周波数近傍の周波数で２枚の弾性平板を同時に正弦波加振する際に発生する正弦波状の固有振動モードの腹と節の位置が互いに対向するように２枚の弾性平板の位置関係を調節し、２枚の弾性平板の振動が位相π／２だけずれて発生するように加振力を調整し、２枚の弾性平板の強制加振時の振幅を両弾性平板間の隙間高さに等しく、もしくは、隙間高さよりもわずかに小さくするように加振力を調整することで、両弾性平板の対向面に生じる波形空間を進行波状に移動させることを特徴とする請求項1記載の進行波ポンプ、進行波搬送装置
【請求項３】
波形空間内の粉体、粒状体、液体のいずれかを搬送することを特徴とする請求項1記載の進行波ポンプ、進行波搬送装置
【請求項４】
加振装置として加振力の振幅調整器と位相調整器、および弾性平板の振動を測定し制御する制御装置とを備えることを特徴とする請求項1記載の進行波ポンプ、進行波搬送装置
【発明の詳細な説明】
【技術分野】
【０００１】
本発明は、粉体、粒状体、液体等の物体搬送等に使用される進行波状に移動する隙間空間を発生する装置に関するものであり、搬送の対象となる物体が液体の場合は、推進装置としても利用できるものである。
【背景技術】
【０００２】
進行波ポンプとしては、特開昭５９−１４７８８８「振動子の駆動による進行波ポンプ」が知られている（特許文献1参照）。この進行波ポンプは、２箇の弾性体を当接させ、それぞれの弾性体の一端に設けた振動子から送り出した波を他端に設けた振動子により吸収することで、変形した両弾性体と当接面で囲まれた空間が進行することを利用して、この進行波空間に流体を載せて搬送するポンプである。この進行波ポンプは、端部で波動を吸収する際に、インピーダンス整合条件を満たすような力を与えることで進行波を形成させる。このとき与えられる力は、弾性体の特性インピーダンスと端部の振動速度の積で表される力であり、速度に比例する力であることから減衰力と見なせる。従って、この進行波ポンプでは、端部に設置する減衰器によるエネルギの散逸があり、エネルギ効率に劣る。
一方、弾性体を利用せずに、波形を記憶した形状記憶合金を利用して強制的に進行波を形成する進行波発生装置および進行波発生方法として特開平９−３２７１９公報に示される技術が知られている（特許文献２）。この進行波発生装置および進行波発生方法は、位相の異なる波形を記憶した複数の形状記憶合金の線を組み合わせて、各位相の線を位相の順に加熱と冷却を繰り返すことで進行波を形成するものであり、この進行波上に液体、固体等の物体を載せて搬送する装置および方法である。この進行波発生装置および進行波発生方法は、形状記憶合金の加熱と冷却を必要とすることから、搬送物や雰囲気である大気等への熱の移動を伴い、エネルギ効率に劣る。
【先行技術文献】
【特許文献】
【０００３】
【特許文献１】特開昭５９−１４７８８８
【特許文献２】特開平９−３２７１９
【発明の概要】
【発明が解決しようとする課題】
【０００４】
以上のように、これまでの進行波を利用したポンプ、搬送装置においては、エネルギーの有効な利用が図られていなかった。然るに振動子から発生させた波を効率よく、進行波として用いた進行波ポンプ、進行波搬送装置を提供することを目的とする。
【課題を解決するための手段】
【０００５】
請求項１に記載の発明は、２枚の弾性平板の間には隙間を設け、その対向面の一端に吸込口を他端に吐出口を備え、吸込口と吐出口を除く２枚の弾性平板の端面を密閉し、両弾性平板の外側に弾性平板を振動させる振動子を配し、該振動子の加振装置を備えた進行波ポンプにおいて、曲げ振動の固有振動モードが正弦波状となる境界条件で支持された２枚の弾性平板を対向させ共振駆動型としたことを特徴とする進行波ポンプ、進行波搬送装置である。
請求項2に記載の発明は、請求項1記載の進行波ポンプ、進行波搬送装置において単一の固有振動モードが支配的となる共振周波数近傍の周波数で２枚の弾性平板を同時に正弦波加振する際に発生する正弦波状の固有振動モードの腹と節の位置が互いに対向するように２枚の弾性平板の位置関係を調節し、２枚の弾性平板の振動が位相π／２だけずれて発生するように加振力を調整し、２枚の弾性平板の強制加振時の振幅を両弾性平板間の隙間高さに等しく、もしくは、隙間高さよりもわずかに小さくするように加振力を調整することで、両弾性平板の対向面に生じる波形空間を進行波状に移動させることを特徴とする。
請求項3に記載の発明は、請求項1記載の進行波ポンプ、進行波搬送装置において、波形空間内の粉体、粒状体、液体のいずれかを搬送することを特徴とする。
請求項4に記載の発明は、請求項1記載の進行波ポンプ、進行波搬送装置において、加振装置として加振力の振幅調整器と位相調整器、および弾性平板の振動を測定し制御する制御装置とを備えることを特徴とする。
【発明の効果】
【０００６】
本発明により進行波を利用した物体の搬送におけるエネルギ効率を改善することができる。具体的には、本発明に係るポンプ、搬送装置によれば、減衰の小さな弾性平板の共振現象を利用することから、振動子から弾性平板に与えられたエネルギは、搬送に要するエネルギの損失分以外は大半が弾性平板に蓄えられ、少ないエネルギ供給での駆動が可能となる。また、共振現象を利用することで、小さな加振力でも大きな振幅が得られ、加振のための振動子や加振装置を小型化できることから、本発明に係るポンプ、搬送装置全体も小型化できる。
【図面の簡単な説明】
【０００７】
【図１】進行波による搬送の基本原理を示した説明図である。
【図２】発明の実施の形態の説明図である。
【図３】発明の実施の形態において物体が搬送されるプロセスを示した説明図である。
【図４】発明の実施例に用いた実験装置である。
【図５】発明の実施例において両弾性平板の振動変位を計測した図である。
【図６】発明の実施例において弾性平板の４次曲げ固有振動数から離れた３０Ｈｚで正弦波状加振力を与える際に振動の腹の位置で振幅０．５ｍｍを得るために必要な電流の計測結果である。
【図７】発明の実施例において弾性平板の４次曲げ固有振動数近傍の４５Ｈｚで正弦波状加振力を与える際に振動の腹の位置で振幅０．５ｍｍを得るために必要な電流の計測結果である。
【発明を実施するための形態】
【０００８】
本発明の実施形態を説明する。先ず、本発明による搬送原理を図１によって説明する。振幅Ａ、波数k、角周波数ωの進行波の位置x、時刻tにおける変位u1と、位置や時刻によらず一定の変位Ａ＋ΔＡである直線u2で囲まれた斜線部の領域は、ΔＡがほぼ０である場合に、進行波u1の１波長ごとにほぼ閉じられた領域となり、進行波の位相速度ω／kと同じ速度で移動することから、斜線部の領域に奥行きを与えることで形成される空間を利用すれば、粉体、粒状体、液体等の物体を搬送できる。先述のほぼ閉じられた斜線部の領域は数１で近似できる。
【０００９】
【数１】
2010196660.tif 000003
【００１０】
数１は、三角関数の加法定理に従って数２のように変形できて、進行波は２つの定在波でも表せることがわかる。
【００１１】
【数２】
2010196660.tif 000004
【００１２】
数２に基づく搬送を、弾性平板を共振駆動することで実施する形態について述べる．図２に示すように、同一形状の任意長さLの弾性平板１ａと弾性平板１ｂをそれぞれ両端単純支持の境界条件で支持して対向させ、両弾性平板の間には任意距離Ａの隙間を設け、両弾性平板をx軸方向に距離Xrだけずらし、弾性平板１ａが一端をx軸の原点として、x軸正方向の軸上に位置するように設置する。弾性平板１ａには振動子２ａが固着され、弾性平板１ｂには振動子２ｂが固着される。振動子２ａは振幅調整器４ａを介して発信器３に接続され、振動子２ｂは振幅調整器４ｂと位相調整器５を介して発信器３に接続される。発信器３より、両弾性平板のr次の共振角周波数ωr近傍の角周波数ωの正弦波信号を発生させ、この発信器３に接続された振動子２ａ、２ｂにより弾性平板を加振すると、それぞれの弾性平板の実稼動モード形状においては r次の固有振動モードsin（rπx／L）で表される定在波が支配的となる。両弾性平板の振動の振幅が両弾性平板の隙間距離Ａとほぼ等しくなるように、振動子２ａ、２ｂが発生する加振力をそれぞれ振幅調整器４ａ、４ｂにより調整し、両弾性平板の振動がπ／２ずれるように振動子２ｂが発生する加振力を位相調整器５により調整する。また、両弾性平板のx軸方向のずれXrが、r次の固有振動モード形状を表す正弦波sin（rπx／L）の波長2L／rの１／４であるL／（2r）となるように位置を調整し、両弾性平板に励起される固有振動モードの腹と節の位置を対向させる。これらの調整により、弾性平板１ａの振動U1は数３、弾性平板１ｂの振動U2は数４で近似できる。
【００１３】
【数３】
2010196660.tif 000005
【００１４】
【数４】
2010196660.tif 000006
【００１５】
両弾性平板の隙間高さは両弾性平板の変位U1とU2の差に等しいことから、数４から数３を引いて得られる数５で表せる。
【００１６】
【数５】
2010196660.tif 000007
【００１７】
数５は数２と同形であり、数２は数１と等しいことから、数１に基づく進行波型の搬送を、弾性平板を共振駆動することで現れる定在波を利用して実施する形態が存在することがわかる。さらに、弾性平板１ａと弾性平板１ｂを加振する周波数を、弾性平板の曲げ振動の固有振動数近傍とすると、両弾性平板がほぼ接触する点（以下、準接触点）が現れる。この準接触点は数５において、右辺＝０となる位置に対応しており、数５と数１の対応から、図１においてΔＡが０である場合に２つの関数u1とu2で表される波形が接触する点に対応している。図１における接触点は進行波の位相速度と同じ速度で移動することから、当該実施形態における両弾性平板の準接触点も同様の速度で移動することがわかる。この準接触点の移動を利用して、両弾性平板の隙間空間に存在する物体を押すようにして物体は搬送される。
上記のように弾性平板を利用して構成された実施形態により作成された進行波状に移動する隙間空間を利用して粉体、粒状体、液体等の物体を搬送するための実施形態について述べる。両弾性平板の対向面の一端に吸込口を他端に吐出口を設け、吸込口と吐出口を除く２枚の弾性平板の端面を密閉する。吸込口や吐出口には、それぞれ物体の送入用、送出用に柔軟な管を接合する。この管は柔軟であることから、弾性平板の固有振動モード形状を変化させることがない。この実施形態により、弾性平板に４箇所ある端部のうち、吸込口や吐出口以外の２箇所の端部から物体がこぼれ落ちる、もしくは流体が漏れることなく搬送される。
上記のように構成された実施形態の進行波ポンプ、進行波搬送装置を用いる粉体、粒状体、液体等の搬送について、図３を利用して説明する。図３は、両端単純支持された２枚の弾性平板を、弾性平板の曲げ振動の３次固有振動数近傍の周波数で正弦波加振することで、振動の節が２箇所ある正弦波状の定在波が発生している状態における弾性平板の振動と隙間空間の関係、ならびに隙間空間に送入された物体の搬送の様子を模式的かつ時系列的に表した図である。図３では、時刻0において、弾性平板１ａと弾性平板１ｂの隙間の両端には吸込口６と吐出口７となる隙間空間が発生している。吸込口６に接合された送入用の管を通して被搬送物８を常に圧力がかかるように送入する。時刻Δtでは、２枚の弾性平板に準接触点９が発生する。この準接触点は、時間の経過と共に吐出口７の方向に移動し、被搬送物８は準接触点９に押される形で吐出口７の方向に移動する。その後、被搬送物８は、吐出口７から吐出され、吐出口７に接合された送出用の管を通して送出される。２枚の弾性平板は共に定在波で振動しているが、隙間空間は進行波状に移動し、準接触点の移動に被搬送物が押されるようにして搬送が実現する。
【実施例】
【００１８】
以下、添付図面に従って本発明を楕円柱の粒状に切り出したスポンジの搬送に供した実施例を説明する。図４は本発明に係る進行波搬送装置の一実施例の構成を示す図であり、図５は本実施例において計測された２枚の弾性平板の振動変位を示す図である。図６は，弾性平板の４次曲げ固有振動数である４５Ｈｚから離れた３０Ｈｚで弾性平板に正弦波状加振力を与える際に振動の腹の位置で振幅０．５ｍｍを得るために必要な電流を計測した結果である。図７は，弾性平板の４次曲げ固有振動数近傍の４５Ｈｚで弾性平板に正弦波状加振力を与える際に振動の腹の位置で振幅０．５ｍｍを得るために必要な電流を計測した結果である。
進行波搬送装置の図４について説明する。弾性平板１ａ、１ｂは長さ３００ｍｍ、幅２０ｍｍ、厚さ０．２ｍｍのばね用りん青銅Ｃ５２１０である。振動子２ａ、２ｂは、東芝機械株式会社製ＶＣＭ１０−１２Ｒ型ボイスコイルモータであり、地面にボルトで固着されている。振動子２ａ、２ｂの駆動用電源には，高砂製作所製バイポーラ電源ＢＷＡ２５−１を用いる。振動子の発生する力の大きさと位相を指示する発信器３，振幅調整器４ａ、４ｂ，位相調整器５は，いずれも制御用ＤＳＰであるｄＳＰＡＣＥ社製ｄｓ１１０４と数値解析ソフトウェアであるＣｙｂｅｒｎｅｔ社製ＭＡＴＬＡＢ／Ｓｉｍｕｌｉｎｋを組み合わせて構成した制御コントローラの内部に作成した。振動子２ａ、２ｂの出力軸１０ａ、１０ｂは、回転ジョイント１１ａ、１１ｂを介して、それぞれ弾性平板１ａ、１ｂの片端に取り付けられ、弾性平板１ａ、１ｂに並進方向の加振力を与えられる。弾性平板の他端は、回転ジョイント１２ａ、１２ｂを介して地面に取り付けられ、並進方向の自由度だけを拘束する。弾性平板１ａ、１ｂの対向面の隙間高さは１．２７ｍｍで、位置のずれは５０ｍｍである。ここで、両弾性平板の位置のずれは、進行波搬送装置の駆動で利用する共振周波数に従って変化させる必要がある。本実施例においては上述の寸法の弾性平板１ａ、１ｂの４次共振周波数近傍の４５Ｈｚで進行波搬送装置を駆動することとした。４次共振駆動において弾性平板１ａ、１ｂの対向面に相当する部分の４次固有振動モードがｓｉｎ（４πｘ／０．３）の正弦波で近似できるとし，この正弦波の波長の１／４である０．３／（２×４）＝０．０５ｍ＝５０ｍｍを弾性平板１ａ、１ｂの位置のずれとした。
振動子の発生力の調整方法について図５を用いて説明する。図４に示す振動子２ａ、２ｂが発生する力を、弾性平板１ａ、１ｂが共振状態にありながら弾性平板１ａ、１ｂの対向面の隙間高さである１．２７ｍｍと同じ振幅で一定で，弾性平板１ａと弾性平板１ｂの振動の位相がπ／２ずれるように調整する必要がある。発信器３の発生する周波数は，弾性平板１ａ、１ｂの材質や寸法が既知であれば，数値解析により求めた弾性平板１ａ、１ｂの固有振動数付近に設定し，弾性平板１ａ、１ｂの加振実験が可能であれば，実験モード解析などにより求めた弾性平板１ａ、１ｂの固有振動数付近に設定すればよい。これにより，弾性平板１ａ、１ｂはほぼ共振状態で振動する。また，振幅調整と位相調整は，駆動時の弾性平板１ａ、１ｂの振動を振動計測用センサ１３ａ、１３ｂを用いて同時に計測し，振動子２ａ、２ｂの発生する正弦波状加振力の大きさと位相を振幅調整器４ａ、４ｂ，位相調整器５で調整することで行う。本実施例において，振動計測用センサ１３ａにはキーエンス社製ＬＫ−０３０型レーザー変位計を，振動計測用センサ１３ｂ にはキーエンス社製ＬＢ−４０型レーザー変位計を用い，励起されている固有振動モードの腹の位置の変位を計測した。振動子２ａ、２ｂの発生する正弦波状加振力の振幅調整と位相調整を振幅調整器４ａ、４ｂ，位相調整器５で行った後の変位波形を図５に示す。図５の実線は弾性平板１ａの変位を示し，図５の破線は弾性平板１ｂの変位を表す。まず振動変位の振幅に着目すると，弾性平板１ａ、１ｂの対向面の隙間高さである１．２７ｍｍと同じ振幅が得られていることから，所望の振幅調整が実現していることがわかる。一方，位相に着目すると，弾性平板１ａの変位波形に比べて弾性平板１ｂの変位波形がπ／２だけ進んでおり，所望の位相調整が実現していることがわかる。
粒状スポンジの搬送実験の方法について述べる。粒状スポンジは長さ５ｍｍ，長軸直径２．５ｍｍ，短軸直径１ｍｍの楕円柱状である。この粒状スポンジを図４の進行波搬送装置の吸込口に相当する回転ジョイント１１ａと１２ｂの間の空間に投入して送風の風圧により吸込口に押し込み，粒状スポンジが弾性平板１ａ、１ｂの対向面に入った時点で送風を止める。
粒状スポンジの搬送実験の結果について述べる。吸込口に送られた粒状スポンジは，送風を止めた後，進行波搬送装置の駆動だけに従って搬送され，他端の吐出口から排出された。
進行波搬送装置の共振駆動のエネルギ効率について述べる。進行波搬送装置の弾性平板１ａを，４次曲げ固有振動数である４５Ｈｚで共振駆動した場合と，４次曲げ固有振動数である４５Ｈｚから離れた３０Ｈｚで駆動した場合に，弾性平板１ａの振動の腹の位置での変位振幅を０．５ｍｍとするために必要な駆動電流を計測した。図６は，３０Ｈｚで駆動した場合の計測結果であり，図６上段の変位計測結果１４は，図４の振動計測用センサ１３ａで計測した弾性平板１ａの振動の腹の位置での変位であり，所望の振幅０．５ｍｍを実現できていることがわかる。図６下段の電流計測結果１５は，図６上段の変位計測結果１４と同時に計測された進行波搬送装置の駆動電流である。電流センサのバイアスが存在するが，その値はほぼ−２０ｍＡから＋７０ｍＡの間を振動しており，電流の片振幅は４５ｍＡ程度であることがわかる。一方，図７は，固有振動数である４５Ｈｚで駆動した場合の計測結果であり，図７上段の変位計測結果１６は，図４の振動計測用センサ１３ａで計測した弾性平板１ａの振動の腹の位置での変位であり，所望の振幅０．５ｍｍを実現できていることがわかる。図７下段の電流計測結果１７は，図７上段の変位計測結果１６と同時に計測された進行波搬送装置の駆動電流である。電流センサのバイアスが存在するが，その値はほぼ０ｍＡから＋４０ｍＡの間を振動しており，電流の片振幅は２０ｍＡ程度であることがわかる。４５Ｈｚでの共振駆動により，３０Ｈｚで駆動する場合に比べて駆動に要する電流が減少した。
【符号の説明】
【００１９】
１ａ、１ｂ：弾性平板
２ａ、２ｂ：振動子
３：発信器
４ａ、４ｂ：振幅調整器
５：位相調整器
６：吸入口
７：吐出口
８： 被搬送物
９：２枚の弾性平板の準接触点
１０ａ、１０ｂ：振動子の出力軸
１１ａ、１１ｂ：振動子の出力軸と弾性平板を接続する回転ジョイント
１２ａ、１２ｂ：地面と弾性平板を接続する回転ジョイント
１３ａ、１３ｂ：弾性平板の振動を計測するセンサ
１４：振動変位計測結果
１５：電流計測結果
１６：振動変位計測結果
１７：電流計測結果
【図１】
2010196660.tif 000008
【図２】
2010196660.tif 000009
【図３】
2010196660.tif 000010
【図４】
2010196660.tif 000011
【図５】
2010196660.tif 000012
【図６】
2010196660.tif 000013
【図７】
2010196660.tif 000014